(57)【特許請求の範囲】
【請求項１】
複数の映像を投影するスクリーンと、前記スクリーン上のそれぞれ異なる位置に映像を投影する複数の映像投影装置と、前記複数の映像投影装置により投影された前記スクリーン上のマルチ映像を撮像する撮像手段と、前記撮像手段により得られる画像データに基づき、前記複数の映像投影装置の投影条件を調整する調整手段と、前記スクリーンから前記撮像手段に向けて前記スクリーンと前記撮像手段を結ぶ領域外に設けた、外光を遮断する遮光手段とを具備し、前記遮光手段を収納する遮光手段収納手段を前記スクリーン近傍に設けたことを特徴とする映像調整システム装置。
【請求項２】
前記遮光手段を係止する係止手段を、前記スクリーンの外周に設けたことを特徴とする請求項１に記載の映像調整システム装置。
【請求項３】
前記遮光手段を係止するとともに位置決め可能な係止手段を、前記撮像装置に設けたことを特徴とする請求項１に記載の映像調整システム装置。
【請求項４】
前記遮光手段の内面は、光の反射が一定以下の材質で構成されたことを特徴とする請求項１に記載の映像調整システム装置。
【請求項５】
前記遮光手段はシート状に形成されたもので、未使用時には前記映像投影手段を収容するディスプレイ装置内にロール状に収納され、使用時には引き出して使用することを特徴とする請求項２に記載の映像調整システム装置。
【請求項６】
前記遮光手段は伸縮自在な板状に形成されたもので、未使用時には前記映像投影手段を収容するディスプレイ装置内に折り畳まれて収納され、使用時には拡げて使用することを特徴とする請求項２に記載の映像調整システム装置。
【請求項７】
前記撮像手段と前記遮光手段が着脱自在に一体的に取り付けられたことを特徴とする請求項１に記載の映像調整システム装置。
【請求項８】
前記撮像手段と前記遮光手段が前記スクリーン面に対し略平行に移動可能とする移動手段を設けて構成したことを特徴とする請求項７に記載の映像調整システム装置。
【請求項９】
前記移動手段と投影手段は、前記調整手段に含まれる制御装置により制御されることを特徴とする請求項８に記載の映像調整システム装置。
【請求項１０】
前記遮光手段の前記スクリーン面側の形状は、前記スクリーンの曲率に沿って形成されていること特徴とする請求項１に記載の映像調整システム装置。
【請求項１１】
前記遮光手段の前記スクリーン面側は、前記スクリーンの形状に沿って変形可能な部材からなることを特徴とする請求項１に記載の映像調整システム装置。
【請求項１２】
前記撮像手段は複数の撮像部からなり、この複数の撮像部を単一の前記遮光手段で遮光したことを特徴とする請求項１に記載の映像調整システム装置。
【請求項１３】
複数の映像投影装置を用いてスクリーン上に投影される複数の映像を、撮像手段を用いて撮像して調整手段を用いて調整する方法において、
前記スクリーンから前記撮像手段に向けて前記スクリーンと前記撮像手段を結ぶ領域外に設けた、外光を遮断する遮光手段と、前記スクリーン近傍に設けた、前記遮光手段を収納する遮光手段収納手段とを用意するステップと、
前記複数の映像投影装置によって、前記複数の映像を、前記スクリーン上のそれぞれ異なる位置に投影するステップと、
前記スクリーン上に投影された前記複数の映像を、前記撮像手段によって撮像するステップと、
前記調整手段によって、前記撮像手段により得られる画像データに基づき、前記複数の映像投影装置の投影条件を調整するステップと
を具えていることを特徴とする映像調整方法。
【発明の詳細な説明】
【０００１】
【発明の属する技術分野】
本発明は、複数のプロジェクタの投影画像をスクリーン上で大画面表示するマルチディスプレイ装置に係り、特に該装置とシステムを構成して装置の投影映像の高精細化を図ることのできる映像調整システム装置に関する。
【０００２】
【従来の技術】
近年、表示装置の大画面化に伴い、画像をスクリーン等に拡大投射して表示するプロジェクタが注目されている。
【０００３】
このようなプロジェクタとしては、例えば液晶パネルに入力映像信号に基づく画像を表示し、これを拡大投射することによりスクリーンに表示する液晶プロジェクタなどがあり、表示装置の薄型，軽量、低電圧駆動、低消費電力の点でこの液晶プロジェクタは現在の表示装置の主流の方式となっている。
【０００４】
また、最近では、大画面化の要望により、上記プロジェクタを複数台組み合わせることにより大画面映像の表示を可能にする、いわゆるマルチディスプレイ装置が、例えば企業の宣伝や各種イベントのディスプレイ用として実用化されている。
【０００５】
一般にマルチディスプレイ装置には、筐体内部に搭載された複数のプロジェクタと１つのスクリーンから構成される装置や、プロジェクタとスクリーンをセットで１つの装置として構成し、さらにそれを例えば２×２の構成で４台を積み上げ１つのディスプレイ装置として構成された、いわゆるＣＵＢＥタイプの装置がある。また、他の装置としては、複数のプロジェクタを併設し、ひとつのスクリーンに拡大投影する前面投影方式の装置がある。
【０００６】
ところで、上述したマルチディスプレイ装置では、大画面表示ということで、投影映像の高精細化を図ることが急務であり、従来より種々様々な提案がなされている。中でも、特願平９−３２６９８１号公報に記載の提案では、画像投影システムとして、高精細な投影画像を得るための実現方法が提案されている。
【０００７】
具体的には、該画像投影システムは、高精細画像データを生成する手段と、前記高精細画像データの少なくとも一部を投影するための複数のプロジェクタを有する画像投影手段と、前記高精細画像データの少なくとも一部を選択・処理して前記複数のプロジェクタに出力する画像処理手段とを具備して構成される。
【０００８】
このような画像投影システムでは、前記画像投影手段によって各プロジェクタの画像を一部重ね合わせて一つの大画像とする投影方法を実施するとともに、また前記画像処理手段によって画像の重ね合わせ部分がスムーズにつながるための画像処理を行っている。実施にあたっては、各プロジェクタのスクリーンに投影された画像をデジタルカメラ等の撮像手段で撮影し、各画像の位置、色、明るさ等のパラメータを取得し、その後、パーソナルコンピュータ内の画像処理手段によりそのパラメータを参照して元画像に処理を行い、各プロジェクタに出力することで投影画像のスムーズなつなぎを実現している。これにより、投影画像の高精細化を図ることが可能となる。
【０００９】
また上述したＣＵＢＥタイプの装置においては、例えば設置時に４台の装置の明るさや色合いの違いを調整することで一致させるようにして投影画像の高精細化を図っている。また、前面投影方式の装置においても、該ＣＵＢＥタイプの装置と同様の調整方法を実施することにより、対処している。
【００１０】
ところが、前述した従来の画像投影システムによる処理方法やＣＵＢＥタイプの装置等における調整方法では、例えば室内に設置されたマルチディスプレイ装置に対してこれらの処理を実施する場合に、より正確な色や明るさを撮影し、あるいは調整を行うためには、周囲の外乱光が処理性能に悪影響を及ぼすこともあることから、この外乱光を遮断するように室内を暗くする必要があった。
【００１１】
しかしながら、太陽光を遮ることができない状況にあったり、あるいは同室の他の作業者が何らかの作業をしていて室内灯を消せない状況の場合には、周囲の外乱光によって処理性能に悪影響を及ぼしてしまい、結果として満足する高精細化投影映像を得ることができないという不都合が発生してしまう。特に、マルチディスプレイ装置が屋外に設置された場合は、その問題は顕著であり、対処するには極めて困難である。
【００１２】
また、従来のマルチディスプレイ装置においては、上述した映像調整処理を正確に実施するためには、少なくとも綺麗なスクリーンで行うことが望ましく、このためにもスクリーン上を掃除することが必要である。しかし、従来では、掃除するにも煩雑な作業が余儀なくされてしまい、面倒であるといった不都合もあった。
【００１３】
【発明が解決しようとする課題】
上記の如く、従来の画像投影システムやマルチディスプレイ装置では、処理性能に悪影響を及ぼす外乱光を遮断することができないので、マルチディスプレイ装置の屋内の設置時において、太陽光を遮ることができない状況にあったり、あるいは同室の他の作業者が何らかの作業をしていて室内灯を消せない状況の場合には、周囲の外乱光によって処理性能に悪影響を及ぼしてしまい、結果として満足する高精細化投影映像を得ることができない。特にマルチディスプレイ装置が屋外に設置された場合は、その問題は顕著であり、対処するには極めて困難であるという問題点があった。
【００１４】
そこで、本発明は上記問題点に鑑みてなされたもので、簡単な構成で装置の周囲の外乱光を遮断して正確な映像調整処理を行い、投影画像の高精細化を図ることができるとともに、各種のマルチディスプレイに対しても適応できる映像調整システム装置の提供を目的とする。
【００１５】
【課題を解決するための手段】
請求項１に記載の発明の映像調整システム装置は、複数の映像を投影するスクリーンと、前記スクリーン上のそれぞれ異なる位置に映像を投影する複数の映像投影装置と、前記複数の映像投影装置により投影された前記スクリーン上のマルチ映像を撮影する撮像手段と、前記撮像手段により得られる画像データに基づき、前記複数の映像投影装置の投影条件を調整する調整手段と、前記スクリーンから前記撮像手段に向けて、前記スクリーンと前記撮像手段を結ぶ領域外に設けた外光を遮断すると遮光手段と、を具備したことを特徴とするものである。
【００１６】
請求項２に記載の発明の映像調整システム装置は、請求項１に記載の映像調整システム装置において、前記遮光手段を収納する遮光手段収納手段を前記スクリーン近傍に設けたことを特徴とするものである。
【００１７】
請求項３に記載の発明の映像調整システム装置は、請求項１に記載の映像調整システム装置において、前記遮光手段を係止する係止手段を、前記スクリーンの外周に設けたことを特徴とするものである。
【００１８】
請求項４に記載の発明の映像調整システム装置は、請求項１に記載の映像調整システム装置において、前記遮光手段を係止するとともに位置決め可能な係止手段を、前記撮像装置に設けたことを特徴とするものである。
【００１９】
請求項５に記載の発明の映像調整システム装置は、請求項１に記載の映像調整システム装置において、前記遮光手段の内面は、光の反射が一定以下の材質で構成されたことを特徴とするものである。
【００２０】
請求項６に記載の発明の映像調整システム装置は、請求項３に記載の映像調整システム装置において、前記遮光手段はシート状に形成されたもので、未使用時には前記映像投影手段を収容するディスプレイ装置内にロール状に収納され、使用時には引き出して使用することを特徴とするものである。
【００２１】
請求項７に記載の発明の映像調整システム装置は、請求項３に記載の映像調整システム装置において、前記遮光手段は伸縮自在な板状に形成されたもので、未使用時には前記映像投影手段を収容するディスプレイ装置内に折り畳まれて収納され、使用時には拡げて使用することを特徴とするものである。
【００２２】
請求項８に記載の発明の映像調整システム装置は、請求項１に記載の映像調整システム装置において、前記撮像手段と前記遮光手段が着脱自在に一体的に取り付けられたことを特徴とするものである。
【００２３】
請求項９に記載の発明の映像調整システム装置は、請求項８に記載の映像調整システム装置において、前記撮像手段と前記遮光手段が前記スクリーン面に対し略平行に移動可能とする移動手段を設けて構成したことを特徴とするものである。
【００２４】
請求項１０に記載の発明の映像調整システム装置は、請求項９に記載の映像調整システム装置において、前記移動手段と投影手段は、前記調整手段に含まれる制御装置により制御されることを特徴とするものである。
【００２５】
請求項１１に記載の発明の映像調整システム装置は、請求項１に記載の映像調整システム装置において、前記遮光手段のスクリーン面側の形状は、スクリーンの曲率に沿って形成されていること特徴とするものである。
【００２６】
請求項１２に記載の発明の映像調整システム装置は、請求項１に記載の映像調整システム装置において、前記遮光手段のスクリーン面側は、スクリーンの形状に沿って変形可能な部材からなることを特徴とするものである。
【００２７】
請求項１３に記載の発明の映像調整システム装置は、請求項１に記載の映像調整システム装置において、前記撮像手段は複数の撮像部からなり、この複数の撮像部を単一の遮光手段で遮光したことを特徴とするものである。
【００２８】
【発明の実施の形態】
発明の実施の形態について図面を参照して説明する。
図１乃至図５は本発明に係る映像調整システム装置の第１の実施の形態を示し、図１乃至図３は本発明の装置に適応可能なマルチディスプレイ装置の構成を示すもので図１は背面投射型マルチディスプレイ装置を示す斜視図、図２はＣＵＢＥタイプの背面投射型マルチディスプレイ装置を示す斜視図、図３はフロント投射型マルチディスプレイ装置を示す斜視図である。また図４は本発明の映像調整システム装置の基本概念を説明するための構成斜視図であり、図５は第１の実施の形態における具体的な装置の構成を示す斜視図である。
【００２９】
まず、本発明の映像調整システム装置に対応可能なマルチディスプレイ装置の概略構成について説明する。
本発明の映像調整システム装置は、従来技術として述べた特願平９−３２６９８１号公報に記載の画像投影システムを改良したものであり、後述する少なくとも３つのタイプのマルチディスプレイ装置に対して投影画像の高精細化を図るのに有効である。
【００３０】
まず最初に、図１に示すマルチディスプレイ装置１では、映像投影機能を備える複数のプロジェクタ３…を、筐体２内の背面側において水平及び垂直方向に並設して構成されている。図では、水平方向に３台のプロジェクタ３が、垂直方向に３台のプロジェクタ３がそれぞれ配設されてなる３×３の背面投影型マルチディスプレイ装置として構成した場合を示しているが、これに限らず垂直方向及び水平方向にｎ台のプロジェクタ３を配置して構成される場合もある。
【００３１】
また、筐体２の前面側には、１枚のスクリーン４が設けられており、このスクリーン４には、前記９個のプロジェクタからの投影画像が投影されるようになっている。
【００３２】
このような構成のマルチディスプレイ装置においては、投影時、図１に示すように各プロジェクタ３の投影画像がお互いにオーバーラップするように投影されており、そのオーバーラップ部分については、例えば装置内に設けられている画像調整機能を用いて各プロジェクタに供給する元画像に画像処理を施すことにより、つなぎ目を見えにくくしている。
【００３３】
また、２つ目のタイプのマルチディスプレイ装置としては、図２に示すものがある。
【００３４】
図２に示すように、この種のマルチディスプレイ装置１Ａは、ＣＵＢＥタイプと呼ばれる箱形のディスプレイ装置５を、水平、及び垂直方向に複数積み上げて大きなひとつのスクリーン画面４Ａを構成した背面投射型マルチディスプレイ装置である。
【００３５】
１つのディスプレイ装置（ＣＵＢＥともいう）５は、１台のプロジェクタ３ａと１枚のスクリーン４ａを含んで構成されたもので、該プロジェクタ３ａの投影画像はスクリーン４ａの画角一杯に映し出されるようになっている。図では、水平方向に３台のディスプレイ装置５が、垂直方向に３台のディスプレイ装置５がそれぞれ配設されてなる３×３のＣＵＢＥタイプの背面投影型マルチディスプレイ装置として構成した場合を示しているが、これに限らず垂直方向及び水平方向にｎ台のディスプレイ装置５を配置して構成される場合もある。
【００３６】
例えば図２に示すようなディスプレイ装置５が３×３のＣＵＢＥタイプの装置１Ａである場合、入力信号は図示しない画像分割手段によってＣＵＢＥ５内のプロジェクタ３ａの解像度に合わせて適宜拡大・縮小を行いながら３×３に分割され、分割された画像はそれぞれ対応するＣＵＢＥ５内のプロジェクタ３ａに送られることで大きな１つの画像が映し出されるようになっている。
【００３７】
この場合、例えば入力画像がＳＶＧＡサイズ（水平８００画素×垂直６００画素），ＣＵＢＥ５内のプロジェクタ３ａがＶＧＡサイズ（水平６４０画素×垂直４８０画素）であるとすると、前記装置内の画像分割手段（図示せず）では、まずその入力画像を取り込み、その画像を以下の通りのサイズ変更する処理を行う。
【００３８】
水平方向：  ６４０×３／８００＝２．４倍
垂直方向：  ４８０×３／６００＝２．４倍
すなわち、画面分割手段は、取り込んだ画像に対し、縦、横共に２．４倍に拡大処理を行い、その後、縦、横共に３等分して９枚の画像を作成し、対応するプロジェクタ３ａに各画像を送信する。これにより、１つのスクリーン４Ａには、この領域に応じた大画像を投影することが可能である。
【００３９】
また、他のマルチディスプレイ装置には、図３に示すように複数のプロジェクタ３ｂを併設し、１つのスクリーン４Ｂに拡大投影する前面投影方式の装置１Ｂがある。図では、３台のプロジェクタを水平方向に併設して構成した場合を示すものであるが、これに限らず水平方向にｎ台のプロジェクタ３ｂを配置して構成される場合もある。
【００４０】
この種のマルチディスプレイ装置１Ｂでは、各プロジェクタ３ｂからの投影画像が１つのスクリーン４Ｂ上に並んで映し出されるようになっている。
【００４１】
以上のように、３つのタイプのマルチディスプレイ装置について説明したが、映像調整の点について考慮すると、いずれのタイプの装置においても、下記に示すことが問題となる。
【００４２】
１：「プロジェクタ毎に色合い、明るさ、画像の歪み、コントラストが異なる」
２：「さらにそれらのパラメータのいくつかは時間と共に変化する」
３：「プロジェクタではランプを交換すると、１の項目が変化する」
ここで、上記問題解決の一手段としては、作業者が目視で各プロジェクタの調整機能を利用して調整することが考えられ、またこれが一般的に行われている。しかしながら、このような調整方法では、調整に時間がかかったり、あるいは作業者の主観によるため、調整精度が安定しない等の不都合が生じることもある。
【００４３】
これに対して、各プロジェクタから調整パターンを投影し、それをデジタルカメラで撮影したり測色計で測色して調整量をコンピュータで算出することで調整が可能である。更には、プロジェクタの調整機能は使用せず、前記測定された調整量に基づき元画像データを変換することで投影画像の差異をなくす方法が有効である。例えば、同一画像データでありながら、プロジェクタによる投影画像が赤っぽい場合には、該プロジェクタに送る画像データの赤成分を減らすことにより、スクリーンに映し出される画像は結果として元画像の色にすることができる。
【００４４】
すなわち、このような映像調整処理が可能な、特願平９−３２６９８１号公報に記載の画像投影システムを採用すれば良い。
【００４５】
しかし、前記画像投影システムを用いてカメラや測色計で調整パターンを撮影する際、外乱光があると測定値が正しい値にならず調整が不正確となってしまう。そのため、撮影時は室内を暗くすることができない状況であったり、あるいはマルチディスプレイ装置を屋外で使用する場面では対応が困難である。
【００４６】
そこで、本発明では、外乱光を遮蔽する手段を用いることで上記問題を解決出来る点に着目し、画像投影システムにこのような遮光手段を加えて改良を施した。このような本発明の映像調整システム装置の基本概念を図４を参照しながら説明する。
図４に示すように、本発明の係る映像調整システム装置１０の基本構成は、特願平９−３２６９８１号公報に記載の画像投影システムと略同様に構成されたものであり、例えばマルチディスプレイ装置１の前面に設置され、複数の映像を投影する１つのスクリーン４と、スクリーン４のそれぞれ異なる位置に映像を投影する映像投影手段としての複数のプロジェクタ３…と、これら複数のプロジェクタ３…により投影されたスクリーン４上のマルチ映像を撮影する撮像手段１１と、撮像手段１１により得られる画像データに基づき、前記複数のプロジェクタの投影条件を調整する調整手段１０ａとを含んで構成される。
【００４７】
つまり、パーソナルコンピュータ等の調整手段１０ａによる制御によって各プロジェクタ３から調整パターンをスクリーン４に投影させ、それをデジタルカメラや測色計等の撮像手段１１で撮影したり、あるいは測色したりして撮像画像データを得て、この撮像画像データは再度調整手段１０ａに供給される。なお、撮像手段１１は、例えばユーザが視聴する代表位置としてマルチディスプレイ装置１のスクリーン４に対向する正面に位置決めされるとともに、スクリーン４全体を含む領域（撮影範囲Ｌ）を撮影できるようにセットされる。
【００４８】
調整手段１０ａは、特願平９−３２６９８１号公報に記載の画像投影システムと略同様に、内部に搭載された画像処理手段により供給された画像データを用いて、画像位置合わせ、色合わせ、明るさ合わせ等の調整や補正を行うためのバラメータを算出し、算出結果に基づき元画像データを変換して、各プロジェクタ３に対する投影条件を示す信号を生成し供給するようにして、各プロジェクタ３による投影画像の映像調整制御を行う。これにより、入力画像の解像度を生かした高精細度な投影画像を得ることが可能である。
【００４９】
上記構成の映像調整システム装置１０において、周囲に外乱光があった場合でも前記撮像手段１１による測定値精度を向上させて、正しく且つ確実な映像調整を行うためには、図５に示すように、撮影時にこの外乱光を遮断できるように構成すれば良い。したがって、該撮像手段１１による撮影領域に影響せずしかも周囲の外乱光を遮蔽する形状及び光学特性を有する遮光手段１２を、撮像手段１１とマルチディスプレイ装置１のスクリーン４との間に配置すれば、周囲の外乱光を遮断することができ、測定値精度を向上させて正しく且つ確実な映像調整を行うことが可能となる。このような遮光手段１２を実際に備えた本発明の映像調整システム装置１０の実施の形態を下記に説明する。
第１の実施の形態：
本発明に係る第１の実施の形態の映像調整システム装置１０は、図５に示すように、図４にて説明した構成要件に加えて、該撮像手段１１による撮影領域に影響せずしかも周囲の外乱光を遮蔽する形状及び光学特性を有する遮光手段１２を設けて構成したことが特徴である。
【００５０】
具体的には、遮光手段１２は、撮像手段１１の撮影領域を囲むような四角錘状に形成されたもので、四角錘の底がスクリーン４に取り付け可能で且つ四角錘の上端が撮像手段１１の受光部分に装着可能となるようにカットされて構成している。
【００５１】
マルチディスプレイ装置１への遮蔽遮断１２の取付時には、四角錘上端を撮像手段１１に取り付ける同時に、底をスクリーン４と接触するようにして取り付けられ、またその状態が保持されるようになっている。
【００５２】
これにより、スクリーン４と撮像手段１１の受光部とは遮光手段１２により完全に周囲の外乱光を遮蔽することができ、その結果、前記撮像手段１１による測定値精度を向上させて、正しく且つ確実な映像調整を行うことが可能となり、投影画像の高精細化を可能にする。
【００５３】
なお、前記遮光手段１２の内面は、光の反射がないことが重要であり、光の吸収率の高いものを選ぶ必要がある。したがって、該遮光手段１２全体あるいは内面が、例えばつや消し等の光学特性を有する材質で構成すれば良い。また、撮像手段１１としてのデジタルカメラの焦点は、スクリーン４の表面位置となるように予め調整され、または設定されるようになっている。
【００５４】
したがって、本実施の形態によれば、簡単な構成で周囲の外乱光を遮断して正確な映像調整処理を行うことができ、よって投影画像の高精細化を図ることが可能となる。
【００５５】
第２の実施の形態：
図６は本発明に係る映像調整システム装置の第２の実施の形態を示し、前記遮光手段に改良を施した場合の装置の全体構成を示す斜視図である。なお、図６は、図５に示す装置と同様な構成要素については同一の符号を付して説明を省略し、異なる部分のみを説明する。
本実施の形態では、図５に示す遮光手段１２の取扱性や収納性をより向上させるために、前記遮光手段１２に改良を施したことが特徴であり、その他の構成については、図５に示す装置の構成と同様である。
【００５６】
具体的には、図６に示すように、本実施の形態の映像調整システム装置１０には、図５に示す遮光手段１２とは異なり、ロール状に布１３ａ，１４ａ，１４ａが巻回された３つの布収容部１３，１４，１４を含んで構成された遮光手段１２Ａが設けられている。
布収容部１３は、マルチディスプレイ装置１のスクリーン側上部に取り付けられている。測定を行う際には、例えば巻回されている布１３ａの基端部に固定された支柱１５を水平方向に引き出すと同時に、撮像手段１１の背面側を垂直方向に引き出し、垂らすことにより、撮像手段１１，スクリーン４の上部側及び背面側に対しその布１３ａによって外乱光を遮蔽することが可能となる。
【００５７】
また、他の布収容部１４，１４は、前記布収容部１４と同様に構成されたもので、少なくともマルチディスプレイ装置１のスクリーン側の両側面にそれぞれ取り付けられている。これらの布収容部１４，１４においても、測定する際には、同様に巻回されている布１４ａの基端部にそれぞれ固定された支柱１６を水平方向に引き出し、撮像手段１１の側面が隠れるように位置、つまり、前記撮像手段１１の背面側を遮蔽している布１３ａの位置までそれぞれ引き出すことにより、撮像手段１１，スクリーン４の両側面側に対しそれらの布１４ａによって外乱光を遮蔽することが可能となる。
【００５８】
これにより、これら３つの布収容部で構成された遮光手段１２Ａによって完全に周囲の外乱光を遮蔽することができる。
【００５９】
したがって、本実施の形態によれば、前記第１の実施の形態と同様の効果を得られる他に、上述したように３つの布収容部１３，１４，１４で構成された遮光手段１２Ａを用いることにより、前記第１の実施の形態よりも、設定時における遮光手段１２Ａの取扱が容易となり、作業効率を向上させることは勿論のこと、また装置１内に収納する必要もないので遮光手段１２Ａの収納性も向上させることができる。
【００６０】
なお、本実施の形態では、それぞれの布収容部１３，１４，１４において、巻回された布１３ａ，１４ａ，１４ａの基端部に支柱１５，１６，１６が固定された場合を説明したが、固定されずに別体となる支柱１５，１６，１６を設けて構成しても良い。但し、この場合は、遮光手段１２Ａをセットする際には、それぞれの布１３ａ，１４ａ，１４ａの基端部を保持するとともに、組み立てる必要がある。
【００６１】
第３の実施の形態：
図７は本発明に係る映像調整システム装置の第３の実施の形態を示し、前記第２の実施の形態の遮光手段をフロント投影型マルチディスプレイ装置に適応した場合の装置の全体構成を示す斜視図である。なお、図７は、図６に示す装置と同様な構成要素については同一の符号を付して説明を省略し、異なる部分のみを説明する。
本実施の形態では、図７に示す遮光手段１２Ａを、フロント投影型マルチディスプレイ装置１Ｂに適応可能に構成したことが特徴であり、その他の構成については、前記第２の実施の形態の映像調整システム装置１０と同様である。
【００６２】
図７に示すように、遮光手段１２Ａは、図６に示す遮光手段と略同様に構成されたものであるが、布収容部１３の幅形状については、複数のプロジェクタ３ｂを全て覆うような幅で形成されるようになっている。また、各布収容部１３，１４，１４，は、スクリーン４Ｂが取り付けられる壁面等に着脱自在となるように構成されている。
【００６３】
上記構成によれば、前記第２の実施の形態と同様に作用するとともに、フロント投影型マルチディスプレイ装置１Ｂを構成する複数のプロジェクタ３ｂ，スクリーン４Ｂ、撮像手段１１を、各布収容部から引き出された布１３ａ，１４ａ，１４ａによって１つの遮蔽空間として覆うことができるので、確実に外乱光を遮蔽することが可能となる。
【００６４】
したがって、本実施の形態によれば、遮光手段１２Ａを、フロント投影型マルチディスプレイ装置１Ｂに適応可能に構成したことにより、フロント投影型マルチディスプレイ装置であっても、前記第２の実施の形態と同様の効果を得ることが可能となる。
【００６５】
第４の実施の形態：
図８及び図９は本発明に係る映像調整システム装置の第４の実施の形態を示し、前記第２の実施の形態の遮光手段を蛇腹構造にして構成した場合の装置の全体構成を示す斜視図であり、図８は遮光手段を広げる途中の状態、図９は遮光手段を完全に広げ、さらに他の布で背面を覆った状態を示している。なお、図８及び図９は、図６に示す装置と同様な構成要素については同一の符号を付して説明を省略し、異なる部分のみを説明する。
本実施の形態では、前記第２の実施の形態よりもさらに遮光手段の収納性や取扱性を向上させるために、図６に示す遮光手段１２Ａに替えて、蛇腹構造の遮光手段１２Ｂを設けて構成したことが特徴であり、その他の構成については、前記第２の実施の形態の映像調整システム装置１０と同様である。
【００６６】
図８に示すように、本実施の形態の映像調整システム装置１０に使用される遮光手段１２Ｂは、遮蔽用で且つコの字状の布が蛇腹形状に構成されており、スクリーン４と撮像手段１１との長さ分、自在に伸縮可能に構成されたものである。勿論、伸ばした場合には、そのコの字形状を保持することが可能である。
【００６７】
このような遮光手段１２Ｂは、使用しない場合には、図示はしないがマルチディスプレイ装置１の筐体前面部内に折り畳まれて収容される。
【００６８】
撮像手段１１による測定時、上記遮光手段１２Ｂを使用する場合には、マルチディスプレイ装置１の前面部内から遮光手段１２Ｂの布を引き出し、さらに図８に示すように水平方向へと伸ばすように引き出して、撮像手段１１の背面側に位置するまで移動させる。この場合、遮光手段１２Ｂの布は、蛇腹構造になっているので、簡単に移動させることが可能である。
【００６９】
そして、撮像手段１１の背面側に蛇腹構造の布が到達すると、次に、撮像手段１１の背面側を覆う必要がある。つまり、本例では、図９に示すように、この手段として、別途遮蔽用の板部材１７、あるいは垂らした布を設けることによって、蛇腹構造の遮光手段１２Ｂで足りない撮像手段１１の背面側の外乱光の遮蔽を満足している。なお、この場合、遮光手段１２Ｂの布の基端部に複数の支柱１６を設け、これらの支柱１６に前記板部材１７又は布を固定するように構成すれば良い。
【００７０】
これにより、蛇腹構造の布で構成された遮光手段１２Ｂ及び板部材あるいは布１７によって、完全に撮像手段１１，スクリーン４を遮蔽することができる。
【００７１】
したがって、本実施の形態によれば、遮蔽用の布が蛇腹形状に構成された遮光手段１２Ｂを用いることによって、前記第２の実施の形態と同様の効果が得られる他に、前記第２の実施の形態よりも、設定時における遮光手段１２Ｂの取扱が容易となり、作業効率を向上させることは勿論のこと、また装置１の前面側に収納することができるので、収納性も向上させることができ、外観的にも満足できる。
【００７２】
ところで、本発明に係る映像調整システム装置では、遮光手段の小型化も可能である、このような実施の形態を図１０に示す。
【００７３】
第５の実施の形態：
図１０は本発明に係る映像調整システム装置の第５の実施の形態を示し、遮光手段の小型化を可能にした装置全体の構成を示す斜視図である。なお、図１０は、図５に示す装置と同様な構成要素については同一の符号を付して説明を省略し、異なる部分のみを説明する。
映像調整システム装置を用いて映像調整を行う場合、例えばスクリーン４の表示領域が大きい場合や撮影領域が狭い特性をもった撮像手段１１で有る場合には、一度にそのスクリーン全域を撮影することができない場合がある。そこで、本発明の映像調整システム装置では、これに対処し、図５に示す前記遮光手段１２をスクリーン４の一部分を遮蔽するように構成した。
【００７４】
つまり、これには以下の理由が挙げられる。
【００７５】
１：隣接するプロジェクタ３の差異を無くす作業を繰り返し行うことで、全体として差異が無くなるはずである。例えば図１０に示す一例では、右上、右下、左上、左下の４回の測定を行う。このように分割することで遮光手段１２を小型化できるメリットがある。
【００７６】
２：スクリーン４が大きく、撮像手段１１としてのデジタルカメラがスクリーン全体を一度に撮影できない場合にも分割することで実現できる。
【００７７】
３：スクリーン上の総画素数が多く、撮像手段１１としてのデジタルカメラの解像度が適正な調整を行うには不充分な場合。
【００７８】
このように理由から、本実施の形態の映像調整システム装置では、図１０に示すように、前記第１の実施の形態の四角錘形状の遮光手段１２を、分割されたいくつかのマルチスクリーンの大きさに対応させて小型化し、撮像手段１１を取り付けた状態でこの遮光手段１２ｃをスクリーン４に対しＸＹ方向にずらすことで、スクリーン全体の表示画像の撮影を網羅できる。
【００７９】
また、遮光手段１２Ｃの四角錘の底部には、それぞれ延設された延設部１８が形成され、これらの延設部１８は、遮光手段１２Ｃがマルチディスプレイ装置１の前面に取り付ける際に、該装置１の前面に密着されるようになっている。また遮光手段１２Ｃの各延設部１８の所定位置には、取り付ける際に必要な取付穴１８ａが複数設けられている。
一方、マルチディスプレイ装置１の前面側のスクリーン４の周りには、前記遮光手段１２を取付、位置決めするための複数のピン１９が設けられている。
【００８０】
したがって、このような構成によれば、図中に示す例では、該映像調整システム装置１０を用いて映像調整する場合、前述したように撮像手段１１を取り付けた遮光手段１２Ｃをスクリーン４に対してＸＹ方向にずらすことにより、右上、右下、左上、左下の４回の測定を行えば良い。
【００８１】
この場合、該遮光手段１２Ｃのマルチディスプレイ装置１への取付は、遮光手段１２Ｃにおける各延設部１８の取付穴１８ａに、マルチディスプレイ装置１の前面に設けられた所定のピン１９を嵌装するだけで、正確な位置決めと固定状態の保持が成されるようになっている。勿論、前記遮光手段１２Ｃによって、確実に外乱光を遮蔽することができるので、正しい測定を繰り替えして実施することができる。
【００８２】
したがって、本実施の形態によれば、一度にそのスクリーン全域を撮影することができない場合でも、撮像手段１１により分割して撮影し調整することも有効であるので、これに応じて遮光手段についてもスクリーンの一部分を遮蔽するように構成したことにより、遮光手段１２Ｃの小型化が可能であり、前記第１の実施の形態と同様に投影画像の高精細化を図ることができる。また、遮光手段１２Ｃの小型化ということで、製造コスト低減、あるいは収納性向上にも大きく寄与する。
【００８３】
第６の実施の形態：
図１１は本発明に係る映像調整システム装置の第６の実施の形態を示し、図１１（ａ）は前記第５の遮光手段を電動的に移動制御可能にした装置全体の構成を示す斜視図、図１１（ｂ）は該遮光手段の移動制御可能なシステム構成を示すブロック図、図１１（ｃ）は移動制御を行う制御装置の制御動作例を示すフローチャートである。なお、図１１は、図１０に示す装置と同様な構成要素については同一の符号を付して説明を省略し、異なる部分のみを説明する。
本実施の形態では、前記第５の実施の形態における遮光手段１２Ｃを電動的にスクリーンに対してＸＹ方向に移動制御可能に構成したことが特徴である。
【００８４】
具体的には、図１１（ａ）に示すように、遮光手段１２Ｄは、前記第５の実施の形態の遮光手段１２Ｃと略同様の大きさ形状で構成され、取り付けられた撮像手段１１によってスクリーン４の一部分を撮影が行えるようになっている。勿論、撮影毎での外乱光の遮蔽が可能である。
【００８５】
また遮光手段１２Ｄの四角錘の底部には、移動部材２１ａ，２１ｂに取り付けられたスライド支柱２３ｂを挿通するスライド穴２３ａがそれそれ両側に形成されており、また、内部に設けられた駆動手段２３によって、それぞれスライド支柱２３ｂと係合して自在に垂直方向の移動ができるようになっている。
【００８６】
一方、マルチディスプレイ装置の前面側のスクリーン４の上下には、対向配置された各移動部材２１ａ，２１ｂのスライドをガイドするためのガイドレール２０がそれぞれ取り付けられている。これらガイドレール２０にガイドされた移動部材２１ａ，２１ｂは、前記遮光手段１２Ｄと同様に内部に設けられた駆動手段２３によって、前記ガイドレール２０と係合して自在に水平方向への移動ができるようになっている。これら移動部材２１ａ，２１ｂには、遮光手段１２Ｄが装着された一対の前記スライド支柱２３ｂが固定されている。
【００８７】
なお、撮影装置駆動手段２３としては、モータ等の駆動力発生部と、各係合部分がギアやカム等で構成された駆動伝達部とを含んで構成されたものが考えられが、これ以外の駆動手段を用いて構成しても良い。
【００８８】
また、前記遮光手段１２Ｄの四角錘の底部、又は前記移動部材２１ａ，２１ｂには、そのスライド位置を検出するための位置検出器２２が内蔵されている。
【００８９】
一方、前記遮光手段１２Ｄの移動制御可能とする電気的回路システムとしては、図１１（ｂ）に示すように、上述したように前記遮光手段１２Ｄ（撮像手段１１）の位置を検出する複数の位置検出器２２と、前述した遮光手段１２Ｄの移動駆動を行う撮影装置駆動手段２３と、マルチディスプレイ装置１内に設けられたテストパターン表示手段２４と、前記遮光手段１２Ｄに取り付けられた撮像手段１１と、パーソナルコンピュータ等の調整手段１０ａ内に設けられ、前記位置検出結果に基づき前記撮影装置駆動手段を制御するとともに、テストパターン表示手段による各プロジェクタ３へのテストパターン画像の投影を制御する制御装置２５とを含んで構成される。
【００９０】
次に、前記制御装置２５による移動制御動作について図１１（ｃ）を参照しながら詳細に説明する。
【００９１】
いま、図１１（ａ）に示す映像調整システム装置１０を用いて映像調整を行うものとする。すると、制御装置２５は、図１１（ｃ）に示すフロチャートを開始して、まずステップＳ１による処理で、位置検出器２２によってスクリーン４に対する遮光手段１２Ｄの位置検出を行う。
【００９２】
その後、制御装置２５は、ステップＳ２による処理で、供給された位置検出結果から撮影位置であるか否かの判断を行い、撮影位置でない場合には、ステップＳ３による処理で撮影装置駆動手段２３を制御して撮影位置に遮光手段１２Ｄを移動させ、再びステップＳ２に処理を戻す。逆に、撮影位置である場合には、処理をステップＳ４に移行する。
【００９３】
ステップＳ４による処理では、前記遮光手段１２Ｄが正しい撮影位置に配置された場合であるので、制御装置２５は、テストパターン表示手段２４を制御して、対応するプロジェクタ３に対してテストパターンに基づく画像を投影させる。
【００９４】
その後、制御装置２５は、続くステップＳ５による処理で、そのテストパターンに基づく画像が表示されたスクリーンを撮影するように撮像手段１１を制御し、処理をステップＳ６に移行する。
【００９５】
このステップＳ６による判断処理では、全てのスクリーンの領域のテストパターンに基づく画像の撮影が完了したか否かを判断し、完了してない場合には、ステップＳ７による処理で次の位置を設定し、処理をステップＳ１に戻し、逆に、完了した場合には、続くステップＳ８による処理で、図４にて説明したような映像調整処理を行う。
【００９６】
このように、制御装置２５による移動制御によって、全てのスクリーン４の領域を撮影することができることによって、正しい映像調整が行うことができる。
【００９７】
したがって、本実施の形態によれば、前記遮光手段１２Ｄをスクリーン４に対しＸＹ方向に電気的に移動制御可能に構成したことにより、撮像手段１１及び遮光手段１２Ｄの移動、テストパターン画像の投影、撮像手段１１による撮影という一連の工程を自動化することが可能となり、調整作業者の労力を極端に軽減できるといい効果が得られる。その他の効果は、前記第５の実施の形態と同様である。
【００９８】
第７の実施の形態：
図１２は本発明に係る映像調整システム装置の第７の実施の形態を示し、図１２（ａ）は撮像手段１１及び遮光手段に替えて検出手段を設けて構成した場合の装置全体の構成を示す斜視図、図１２（ｂ）は前記検出手段の断面図である。なお、図１２は、図１１に示す装置と同様な構成要素については同一の符号を付して説明を省略し、異なる部分のみを説明する。
本実施の形態では、上述した各実施の形態における撮像手段１１及び遮光手段１２に替えて、該撮像手段１１と同様の表示画像データ取り込み機能と、遮光手段１２と同様の遮蔽機能を備えた検出手段１１Ａを設けて構成したことが特徴である。
【００９９】
具体的には、図１２（ａ）に示すように、マルチディスプレイ装置１の前面側のスクリーン４の上下には、前記検出手段１１Ａのスライドをガイドするためのガイドレール２０がそれぞれ取り付けられている。これらガイドレール２０にガイドされた検出手段１１Ａは、内部の対応する位置に設けられた駆動手段（図示せず）によって、前記ガイドレール２０と係合して自在に水平方向への移動ができるようになっている。
【０１００】
一方、検出手段１１Ａは、図１２（ｂ）に示すように、例えばＵ字形状に形成された遮光板２６と、該遮光板２６の内部に取り付けられ、スクリーン４上の表示画像をスキャンするＣＣＤラインセンサ２８及びレンズ２７と、スクリーン４と遮光板２６との隙間を封止して遮蔽する２つのスペーサ２９とで構成される。
【０１０１】
なお、図示はしないが前記検出手段１１Ａの移動制御及び読取制御については、前記第６の実施の形態と同様に、図示しない制御装置によって制御されるようになっている。
【０１０２】
このような構成によれば、前記検出手段１１Ａの画像データ読取機能によってスクリーン４上の検出手段１１Ａを移動しながら表示画像データを読み込み、同時に一対のスペーサ２９によってその画像データ読取時における外乱光を遮蔽することができ、正しく表示画像データを取り込むことが可能となる。ただし、上述した各実施の形態の撮像手段１１に比べ、画像データ取り込み時間が長くなってしまうが、スクリーン４の前部のわずかな空間だけを必要とするだけなので、コンパクト化に大きく寄与する。
【０１０３】
なお、本実施の形態においては、検出手段１１Ａの２つのスペーサ２９を遮蔽作用も得られ且つスクリーン面を傷つけない柔軟な材質、例えばゴム、布、あるいは刷毛のような植毛部材等の弾性がある材質で構成すれば、検出手段１１Ａの移動に伴いこのスペーサ２９によってスクリーン上のほこり等を取り除く清掃作用も得ることが可能である。
【０１０４】
第８の実施の形態：
図１３は本発明に係る映像調整システム装置の第８の実施の形態を示し、図１３（ａ）は図１０に示す前記第５の実施の形態の遮光手段を改良してリア投影型マルチディスプレイ装置に適応した場合の装置の全体構成を示す斜視図であり、図１３（ｂ）はさらに遮光手段を複雑なスクリーン曲面に応じて改良を施した場合の装置の全体構成を示す構成図である。なお、図１３は、図示はしないが図１０に示す装置と同様に遮光手段１２Ｅを位置決め、固定するための手段が設けられているが、説明簡略化のため説明を省略し、異なる部分のみを説明する。
本実施の形態では、図１０に示す遮光手段１２Ｃを、リア投影型マルチディスプレイ装置１に適応可能に構成したものではあるが、スクリーン４が透過型のアーチスクリーンで有る場合も、これに応じて完全に遮蔽できるように遮光手段１２Ｅの四角錘の底面３０がアーチ曲面の曲率に合わせた形状に構成したことが特徴である。その他の構成については、前記第５の実施の形態の映像調整システム装置１０と同様である。
【０１０５】
これにより、今後普及が予想される透過型アーチ曲面のスクリーンを有するリア投影型マルチディスプレイ装置にも、前記遮光手段１２によって完全に外乱光を遮蔽することができるので、前記第５実施の形態と同様の効果を得ることが可能である。
【０１０６】
また、リア投影型マルチディスプレイ装置では、図１３（ｂ）に示すようにスクリーン４の中央部が凸部となり、上下部が凹部となるような複雑なアーチ曲面である場合も考えられる。このような場合には、前記遮光手段１２Ｅの四角錘の底面３０に、スクリーン４上に密接し且つスクリーン面を傷つけない柔軟な材質、例えばゴム、布、あるいは刷毛のような植毛部材等の弾性がある材質で構成されたスペーサ３１を取り付けて構成すれば、完全にスクリーン４との隙間を遮蔽することが可能となる。
【０１０７】
したがって、本実施の形態によれば、底面に改良を施した遮光手段１２Ｅを用いることにより、いかなる曲面のスクリーンを有するリア投影型マルチディスプレイ装置１であっても、前記第５の実施の形態と同様の効果を得ることが可能となる。
【０１０８】
第９の実施の形態：
図１４は本発明に係る映像調整システム装置の第９の実施の形態を示し、複数の撮像手段及び遮光手段を設けてリア投影型マルチディスプレイ装置に適応した場合の装置の全体構成を示す斜視図である。なお、図１４は、図示はしないが図１０に示す装置と同様に遮光手段１２Ｅを位置決め、固定するための手段が設けられているが、説明簡略化のため説明を省略し、異なる部分のみを説明する。
本実施の形態では、図１０又は図１３に示す遮光手段１２Ｃ，１２Ｅを一体化して構成された遮光手段１２Ｆを設け、透過型スクリーン４を有するリア投影型マルチディスプレイ装置１の広範囲な表示画像を一度に撮影し映像調整を行うように構成したことが特徴である。
【０１０９】
つまり、例えば２つの撮像手段１１及び遮光手段１２Ｆを、図１４に示すように配置して、広範囲なスクリーン４Ｂ上の表示画像を一度に撮影し映像調整を行う。この場合、遮光手段１２Ｆ（遮光手段１２Ｃ又は遮光手段１２Ｅに示すもの）によって、確実に外乱光を遮蔽することができる。その他の構成、作用については、図１０に示す前記第５の実施の形態の映像調整システム装置１０と同様である。
【０１１０】
これにより、表示領域が広範囲なスクリーン４を有するリア投影型マルチディスプレイ装置であっても、複数の撮像手段及び遮光手段によって一度に撮影することができるので、撮影及び調整時間を大幅に短縮することができる。更には、複数の撮像手段の取り付けを高精度で行っておけば、撮影された複数の画像のつなぎ合わせを複雑な演算無しに、単純に加算してつなぐことにより実現可能とであり、処理の簡素化に大きく寄与する。
【０１１１】
ところで、本発明の映像調整システム装置１０を用いて映像調整を行う場合には、少なくともスクリーン４の表面、及び裏面が汚れ等のないきれいに状態で実施することが望ましい。そこで、前記第７の実施の形態にて取り付けられたガイドレール等を利用してスクリーン４の表面、及び裏面の清掃を可能にしたクリーニング装置を設けた。このような実施の形態を開示する。
【０１１２】
図１５は本発明に係る映像調整システム装置とともにシステムとして設けられたクリーニング装置をマルチディスプレイ装置に取り付けた場合の全体構成を示す斜視図、図１５（ｂ）は表面側のクリーニング装置の断面図、図１５（ｃ）はスクリーンの表裏に配置された一対のクリーニング装置の断面図である。
【０１１３】
本例では、図１２に示すマルチディスプレイ装置１のように前面側のスクリーン４の上下には、クリーニング装置１１Ｂのスライドをガイドするためのガイドレール２０がそれぞれ取り付けられている。また、スクリーン４の裏側においても同様な位置に、クリーニング装置１１Ｃのスライドをガイドするためのガイドレール２０がそれぞれ取り付けられている。
【０１１４】
一方、クリーニング装置１１Ｂ，１１Ｃは、図１５（ｂ，ｃ）に示すように、例えばＵ字形状の遮光板と、該遮光板の先端に取り付けられ、スクリーンを清掃する清掃部材で構成されたスペーサ２９で構成されている。これらのクリーニング装置１１Ｂ，１１Ｃは、スクリーン４を境に対向配置された状態で表裏のガイドレールに取り付けられるとともに、例えばそれぞれ内部の対応する位置に設けられた駆動手段（図示せず）によって、前記ガイドレール２０と係合して自在に水平方向への移動ができるようになっている。
【０１１５】
なお、図示はしないがクリーニング装置１１Ｂ，１１Ａの移動制御については、前記第６の実施の形態と同様に、図示しない制御装置によって制御されるようになっている。
【０１１６】
また、本例では、２つのクリーニング装置１１Ｂ，１１Ｃを設けたことについて説明したが、勿論、図１５（ｂ）に示すようにクリーニング装置１１Ｂのみを設けても良い。
【０１１７】
このような構成によれば、本発明の映像調整システム装置による撮影，映像調整を実施する前に、前記クリーニング装置１１Ｂ，１１Ｃをスライドさせることにより、スクリーン４の表裏面がそれぞれ清掃されて綺麗になり、その後、図１２に示す映像調整システム装置の検出手段１１Ａを用いて撮影，映像調整処理すれば、さらに調整精度を向上させることが可能である。
【０１１８】
なお、本発明に係る各実施の形態においては、投影手段はプロジェクタに限らず、スクリーンはＣＲＴ画面であっても良く、また各実施の形態の組み合わせ及び応用についても本発明に含まれるものである。
【０１１９】
【発明の効果】
以上、説明したように本発明によれば、簡単な構成で装置の周囲の外乱光を遮断して正確な映像調整処理を行い、投影画像の高精細化を図ることができるとともに、各種のマルチディスプレイに対しても適応できる映像調整システム装置を提供することができる。
【図面の簡単な説明】
【図１】背面投射型マルチディスプレイ装置を示す斜視図。
【図２】ＣＵＢＥタイプの背面投射型マルチディスプレイ装置を示す斜視図。
【図３】フロント投射型マルチディスプレイ装置を示す斜視図。
【図４】本発明の映像調整システム装置の基本概念を説明するための構成斜視図。
【図５】本発明の映像調整システム装置の具体的な装置の構成を示す斜視図。
【図６】本発明の映像調整システム装置の第２の実施の形態を示す斜視図。
【図７】本発明の映像調整システム装置の第３の実施の形態を示す斜視図
【図８】本発明の映像調整システム装置の第４の実施の形態を示し、遮光手段を広げた途中の状態の構成を示す斜視図。
【図９】遮光手段を完全に広げ、さらに他の布で背面を覆った状態を示す斜視図。
【図１０】本発明の映像調整システム装置の第５の実施の形態を示す斜視図。
【図１１】本発明の映像調整システム装置の第６の実施の形態を説明するための説明図。
【図１２】本発明の映像調整システム装置の第７の実施の形態を説明するための説明図。
【図１３】本発明の映像調整システム装置の第８の実施の形態を説明するための説明図。
【図１４】本発明の映像調整システム装置の第９の実施の形態を示す斜視図。
【図１５】本発明の映像調整システム装置と併用されるクリーニング装置の構成を示す斜視図。
【符号の説明】
１，１Ａ，１Ｂ…マルチディスプレイ装置、
３，３ａ，３ｂ…プロジェクタ、
４，４Ａ，４Ｂ…スクリーン、
１０…映像調整システム装置、
１１…撮像手段、
１０ａ…調整手段、
１２，１２Ａ〜１２Ｅ…遮光手段。
【図１】
0004776055.tif 000002
【図２】
0004776055.tif 000003
【図３】
0004776055.tif 000004
【図４】
0004776055.tif 000005
【図５】
0004776055.tif 000006
【図６】
0004776055.tif 000007
【図７】
0004776055.tif 000008
【図８】
0004776055.tif 000009
【図９】
0004776055.tif 000010
【図１０】
0004776055.tif 000011
【図１１】
0004776055.tif 000012
【図１２】
0004776055.tif 000013
【図１３】
0004776055.tif 000014
【図１４】
0004776055.tif 000015
【図１５】
0004776055.tif 000016